(57)【特許請求の範囲】
【請求項１】
脚の上端に設けたベースと、前記ベースの上に配置した座と、後傾動可能な背もたれと、前記背もたれの後傾動を弾性的に支持するばね手段とを有しており、
前記背もたれは、回動支点を少なくとも前進させつつ後傾動するようになっており、このため、前記ベースには、前記背もたれの回動支点をガイドする第１固定ガイド部と、前記第１固定ガイド部の後ろにおいて背もたれを後傾可能に支持する第２固定ガイド部とが、それぞれ前記座の上面より下方に位置するようにして設けられている一方、
前記背もたれは、前後に大きく開口したバックフレームにメッシュ材又はその他の可撓性バックシートを張った構造であり、前記バックフレームのうち前記開口よりも下方に位置したロアメンバーに、前記第１固定ガイド部でガイドされる第１可動ガイド部と、前記第２固定ガイド部でガイドされる第２可動ガイド部とが設けられており、
かつ、前記バックフレームのロアメンバーには、前記第２固定ガイド部を後ろから覆うカバー部が形成されている、
ロッキング椅子。                                                                
【請求項２】
前記座は、前記ベースに前後スライド可能に装着されていると共に、後端が下降動するように前後中途部を境にして屈曲可能であり、前記座の後部と前記バックフレームとを連結することにより、前記バックフレームが後傾すると座はその後端が沈むように変形しつつ手前に前進する、
請求項１に記載したロッキング椅子。
【請求項３】
前記バックフレームのロアメンバーには、前記ベースの左右両側に位置した前向き突出部を設けており、このため前記左右の前向き突出部の間には上下に開口した溝空間が開いており、前記左右前向き突出部の全端間に前記第１可動ガイド部としての左右横長のスライドピンが取り付けられており、前記スライドピンは、前記ベースに設けた前後長手のガイド穴にスライド自在に嵌まっており、前記スライドピンの全進動を前記ばね手段で手前から支持している、
請求項１又は２に記載したロッキング椅子。
【請求項４】
前記座の後部には、前記バックフレームの溝空間を左右に跨ぐ姿勢の補強板が上下移動不能に保持されており、前記バックフレームにおける前向き突出部の下面に肘掛けの基部を重ねて、前記肘掛けの基部に下方から挿通したビスを前記補強板にねじ込むことが許容されている、
請求項３に記載したロッキング椅子。
【発明の詳細な説明】
【技術分野】
【０００１】
本願発明は、ロッキング椅子に関する。より詳しくは、背もたれが後傾しつつその回動支点が少なくとも前進動するタイプのロッキング椅子に関するものである。
【背景技術】
【０００２】
背もたれが後傾動するロッキング椅子の１つのタイプとして、背もたれがその回動支点を手前にずらしながら後傾するタイプがある。オフィス用等の移動自在な椅子の場合、背もたれは脚の上端に設けたベースに取り付けられているので、ロッキングに際して背もたれの回動支点が前進するタイプでは、一般に、背もたれは、その回動支点とこれより後ろ又は上の部位とが、ベースに設けたガイド部で移動可能に支持されることになる。
【０００３】
便宜的に、ベースのガイド部については、背もたれの回動支点の箇所をガイドする部位を第１固定ガイド部と呼んで、背もたれの回動支点よりも後ろ又は上の部位をガイドする部分を第２固定ガイド部と呼び、更に、背もたれのうち第１固定ガイド部でガイドされる部分（すなわち回動支点の部分）を第１可動ガイド部と呼んで、第２固定ガイド部でガイドされる部分を第２可動ガイド部と呼ぶこととする。
【０００４】
このタイプの椅子に関する先行文献として、例えば本願出願人が出願した特許文献１がある。この特許文献１では、ベースの後端に、背もたれの背面に沿って立ち上がる背支柱を設けて、背支柱の上端部に、第２固定ガイド部に相当する横ピン４３（ガイド突起）を設ける一方、背もたれを構成する背アウターシェルには、横ピンがスライド自在に嵌まる略上下長手のガイド溝を有するガイド部材が設けられている。
【０００５】
また、他の先行文献として特許文献２があり、この特許文献２では、背もたれの下端に設けたガイドピンをベースに設けた長穴に挿通することにより、背もたれの下端をベースで下降動及び前進動するように支持すると共に、背もたれの上下中途部とベースとをリンクで連結している。
【０００６】
更に、他の先行文献としての特許文献３には、背もたれを構成するフレーム体に左右一対の前向きアーム部を設けて、前向きアーム部の内側面に設けた長溝（第１カムトラック）に、ベースの後端に設けた第１ローラベアリングを嵌め込む構成が開示されている。この特許文献３には座が図示されていないが、第１ローラベアリングは座面よりも上に配置されていると推測される。
【０００７】
これら各特許文献のように、背もたれがその回動支点を前進させながら後傾すると、固定位置を中心にして後傾する場合に比べて、同じ回動角度であっても、背もたれの上端が後退する距離を小さくすることができるため、ロッキングに際して身体が後ろに大きくはみ出ることを防止できて、例えば椅子の後ろが通路である場合、ロッキングしても人の通行の邪魔にならなくすることができる。
【先行技術文献】
【特許文献】
【０００８】
【特許文献１】特開２０１１−８７８３２号公報
【特許文献２】米国特許明細書第５６６０４３９号
【特許文献３】特開２００８−９３４４７号公報
【発明の概要】
【発明が解決しようとする課題】
【０００９】
さて、椅子において背もたれの構造は様々であるが、事務用回転椅子の場合は、ロッキングに際して着座者の体圧を背板で受けるタイプと、メッシュ材（或いはネット材）で体圧を受けるメッシュタイプとに大別されると言える。背板タイプの場合は、その前面にクッションを配置していることが殆どである。他方、メッシュタイプの場合は、背もたれは前後に大きく開口したバックフレームを有しており、バックフレームにメッシュ材を張っている。
【００１０】
そして、特許文献１は背板タイプを対象にしたものであり、ガイド溝は背もたれの上下中途高さに位置しているため、メッシュタイプへの適用は難い。また、特許文献２はメッシュタイプに適用できないことはないが、着座者の左右両側にリンクが配置されているため、一般性に欠けるという問題がある。
【００１１】
他方、特許文献３の背もたれはクッションタイプかメッシュタイプか明記されてはいないが、図示されているバックフレームは前後に開口しているものの、開口部の下端は座面よりかなり上に位置しており、このため、背板を取り付けるタイプと推測される。すなわち、特許文献３にも、メッシュタイプに適用することはなんら示唆されていない。
【００１２】
本願発明はこのような現状に鑑み成されたものであり、背もたれがその回動支点を前進させつつ後傾するタイプの椅子に、メッシュタイプの背もたれに対しても簡単に適用できるようにすることを課題とするものである。
【課題を解決するための手段】
【００１３】
請求項１の発明は、
「脚の上端に設けたベースと、前記ベースの上に配置した座と、後傾動可能な背もたれと、前記背もたれの後傾動を弾性的に支持するばね手段とを有しており、
前記背もたれは、回動支点を少なくとも前進させつつ後傾動するようになっており、このため、前記ベースには、前記背もたれの回動支点をガイドする第１固定ガイド部と、前記第１固定ガイド部の後ろにおいて背もたれを後傾可能に支持する第２固定ガイド部とが、それぞれ前記座の上面より下方に位置するようにして設けられている一方、
前記背もたれは、前後に大きく開口したバックフレームにメッシュ材又はその他の可撓性バックシートを張った構造であり、前記バックフレームのうち前記開口よりも下方に位置したロアメンバーに、前記第１固定ガイド部でガイドされる第１可動ガイド部と、前記第２固定ガイド部でガイドされる第２可動ガイド部とが設けられており、
かつ、前記バックフレームのロアメンバーには、前記第２固定ガイド部を後ろから覆うカバー部が形成されている、」
という構成になっている。
【００１４】
【００１５】
【００１６】
請求項２の発明は、請求項１において、前記座は、前記ベースに前後スライド可能に装着されていると共に、後端が下降動するように前後中途部を境にして屈曲可能であり、前記座の後部と前記バックフレームとを連結することにより、前記バックフレームが後傾すると座はその後端が沈むように変形しつつ手前に前進する。
【００１７】
請求項３の発明は、請求項１又は２において、前記バックフレームのロアメンバーには、前記ベースの左右両側に位置した前向き突出部を設けており、このため前記左右の前向き突出部の間には上下に開口した溝空間が開いており、前記左右前向き突出部の前端間に前記第１可動ガイド部としての左右横長のスライドピンが取り付けられており、前記スライドピンは、前記ベースに設けた前後長手のガイド穴にスライド自在に嵌まっており、前記スライドピンの前進動を前記ばね手段で手前から支持している。
【００１８】
請求項４の発明は、請求項３において、前記座の後部には、前記バックフレームの溝空間を左右に跨ぐ姿勢の補強板が上下移動不能に保持されており、前記バックフレームにおける前向き突出部の下面に肘掛けの基部を重ねて、前記肘掛けの基部に下方から挿通したビスを前記補強板にねじ込むことが許容されている。
【発明の効果】
【００１９】
本願発明によると、例えば特許文献１と同様に背もたれは回動支点を前進させつつ後傾動する椅子において、第２固定ガイド部及び第２可動ガイド部は座面より下に位置しているため、背もたれが前後に開口したバックフレームにメッシュ材等のバックシートを張った構成であっても、バックフレームは座面近くまで（或いは座面より下方まで）大きく開口させることができる。従って、背もたれがメッシュ材等の可撓性バックシートで身体を支持するタイプであっても、回動支点を前進させつつ後傾させることを、支障なく実現できる。
【００２０】
また、ベースの第２固定ガイド部を座の後端よりも手前に配置すると、第２固定ガイド部と第２可動ガイド部とから成るガイド機構部が座の下方に隠れるため、椅子全体をスッキリとさせることができて、美感に優れている。請求項２の構成を採用すると、ロッキングに際して、座はその後部が沈みながら前進するため、ロッキングに際して着座者の身体が後ろにのけ反る現象をより的確に防止できる利点がある。
【００２１】
請求項３の構成を採用すると、バックフレームに前向き突出部を設けたことで、バックフレームはできるだけ座の下面に近付けながらその前端をできるだけ手前に位置させることができるため、第１固定ガイド部と第２固定ガイド部との間隔をできるだけ長くして、バックフレームの支持安定性を高めることができる。
【００２２】
請求項４の構成を採用すると、肘掛けを取り付けた場合、肘掛けもバックフレームと一緒にロッキングすることになるため、ロッキング状態での肘の（或いは腕の）安定性を向上させることができる。また、補強板の存在により、肘掛けは高い固定強度で取り付けることができる。なお、肘掛けを使用しない場合でも、バックフレームの前向き突出部と補強板とをビスで締結することは可能であり、この場合は、バックフレームの強度を向上することができる。
【図面の簡単な説明】
【００２３】
【図１】実施形態に係る椅子の外観図で、（Ａ）は斜視図、（Ｂ）は側面図である。
【図２】（Ａ）は上方から見た分離斜視図、（Ｂ）は下方から見た分離斜視図である。
【図３】（Ｂ）は椅子全体の分離斜視図、（Ｂ）は座インナーシェルの後部の平面図である。
【図４】構成部材の分離斜視図である。
【図５】座インナーシェルを分離して前後逆向きにしたひっくり返した状態での斜視図である。
【図６】一部部材を分離した状態での斜視図である。
【図７】（Ａ）はバックフレームと座インナーシェルと肘掛けとの分離斜視図、（Ｂ）はバックフレームの部分斜視図である。
【図８】略中央部の縦断側面図である（前部は分けて表示している。）。
【図９】（Ａ）は図５のIX-IX 視方向から見た断面図、（Ｂ）は座受け中間金具とその附属部材とを下方から見た分離斜視図である。
【図１０】動きを説明するための模式図である。
【図１１】背もたれの正面図である。
【図１２】（Ａ）は図１１の XIIA-XIIA視断面図、（Ｂ）（Ｃ）は（Ａ）の部分拡大図である。
【図１３】（Ａ）は図１１の XIIIA-XIIIA視断面図、（Ｂ）〜（Ｄ）はクッション層を使用しない状態での断面図である。
【発明を実施するための形態】
【００２４】
次に、本願発明の実施形態を図面に基づいて説明する。以下の説明では、方向を示すため「前後」「左右」の文言を使用するが、これらの文言は、ロッキング椅子（以下、単に椅子と称する）に着座した人の姿勢を基準にしている。「正面視」は、着座者と対向した方向から見た状態になる。
【００２５】
(1).概要
まず、図１〜図４に基づいて概要を説明する。本実施形態の椅子は、いわゆる回転椅子に適用しており、椅子は、主要要素として、脚支柱（ガスシリンダ）２及び枝足を有する脚１、脚支柱２の上端に固定したベース３、ベース３の上方に配置された座４、ベース５に後傾動自在に連結された背もたれ５を備えている。また、図１（Ａ）に示すように、オプション品として左右の肘掛け６を取り付けることができる（図１（Ａ）では、肘掛けは片方しか表示していない。）。脚１を構成する各枝足の先端には、キャスタを設けている。
【００２６】
ベース３は板金製であって、例えば図４に示すように、底板と左右側板３ａと前板とを有する上向きに開口の箱状の形態であり、前後方向に長く延びている。ベース３の内部のうち前後中途部にインナーブラケット７を溶接で固定し、インナーブラケット７と底板とに固定したテーパブッシュ８に、脚支柱２の上端を下方から嵌着している。
【００２７】
図４に明示するように、ベース３を構成する左右側板３ａの上端には、おおよそ脚支柱２より手前に位置した左右外向きのサイドフランジ３ｂを設けており、このサイドフランジ３ｂには中間金具９を前後スライド自在に装着している。他方、座４は、樹脂製の座板１０とその上面に配置したクッション１１とを有しており、座板１０は中間金具９に固定されている。従って、座板１０は、中間金具９と一緒にベース３の上を前後スライドする。敢えて述べるまでもないが、クッションはクロス等の表皮材（図示せず）で覆われている。
【００２８】
ベース３には、昇降高さ調節レバー１２と、中間金具９の前後動を規制するロッキング制御レバー１３とが、左右反対側に位置するようにして設けられている。図４に部分的に表れているが、昇降調節レバー１２にはクランク状に曲がった棒材製のロッド１４が固定されており、ロッド１４の先端で脚支柱２のプッシュパルブが押し下げられる。図４に示すように、ベース３の内部には、ロッド１４を回動自在に保持する樹脂製の軸受け部材１５が固定されている。
【００２９】
背もたれ５は、前後に開口した開口部１６を有するバックフレーム１７を有しており、図１に示すように、バックフレーム１７には、その開口部１６を塞ぐようにして、フロントバックシート１８とリアバックシート１９とが取り付けられており、フロントバックシート１８とリアバックシート１９との間に薄いクッション板２０を介在させている。バックフレーム１７は樹脂製であるが、アルミ等のダイキャスト品を採用することも可能である。
【００３０】
バックフレーム１７は、開口部１６の左右両側に位置した上下長手のサイドメンバー２１と、左右サイドメンバー２１の上端と一体に繋がって左右長手のアッパメンバー２２と、左右サイドメンバー２１の下端に一体に繋がったロアメンバー２３を有している。サイドメンバー２１とアッパメンバー２２とは細長い形態であるが、ロアメンバー２３は上下巾が大きくて頑丈な構造になっている。
【００３１】
図４に明示するように、ロアメンバー２３の下端には、ベース３の左右両側に位置した左右一対の前向き突出部２４が一体に設けられており、左右前向き突出部２４の前端と中間金具９の後端部とに、請求項に記載した第１可動ガイド部の一例として、左右横長のスライドピン２５を挿通している。スライドピン２５は、ベース３の左右側板３ａに設けた前後長手の前部ガイド穴２６に、ブッシュ２６′を介して嵌まっている。従って、バックフレーム１７は、スライドピン２５を中心にして後傾動自在であると共に、前端は、スライドピン２５を介して中間金具９と一緒に自在に前後動する。中間金具９の前進動は、請求項に記載したばね手段の一例としてのコイルばね２７で弾性的に支持されている。
【００３２】
図４に示すように、バックフレーム１７には、左右の前向き突出部２４を設けたことにより、上下方向と前方とに開口した前後長の溝空間２８が開いている。ロアメンバー２３には、溝空間２８と同じ横幅の上向き開口溝２９が形成されている。そして、溝空間２８の後部の左右内側面と上向き開口溝２９の左右内側面とに跨がった状態で、手前上側に向けて凹となるように側面視で緩く湾曲した後部ガイド溝３０が形成されており、この後部ガイド溝３０に、ベース３の後端に横向き突設したガイド突起３１を嵌め入れている。
【００３３】
このため、背もたれ５は、後部ガイド溝３０にガイドされながら後傾すると共に、前端は前部ガイド穴２６に案内されて前進動する。後部ガイド溝３０は、請求項に記載した第２可動ガイド部の一例であり、ガイド突起３１は、請求項に記載した第２固定ガイド部の一例である。
【００３４】
図２（Ｂ）に示すように、バックフレーム１７における左右前向き突出部２４の下面には、肘掛け６の基端部（肘支柱の基端部）３２が嵌まる肘用凹所３３を形成している。図３（Ａ）に示すように、バックフレーム１７の左右前向き突出部２４には、左右長手の補強板３４が上から重なっている。補強板３４は、座板１０の後部に上下抜け不能に装着されている。
【００３５】
(2).座及びロッキング機構
次に、従前の図に加えて図５〜図１０も参照しながら、各部位の詳細を説明する。なお、図６では、中間金具９は、ベース３に装着した状態と上に分離した状態との２つの状態を表示している。まず、座４の構造とロッキング機構とを説明する。座４はポリプロピレンのような樹脂を材料にした射出成形品であり、図２（Ａ）や図３に示すように、側面視で自在に屈曲するヒンジ部１０ａを挟んだ前部１０ｂと後部１０ｃとに区分されている。
【００３６】
この場合、前部１０ｂと後部１０ｃとは前後位置の関係のみを示しており、前後長さの比率を限定するものではない。つまり、図示の例では前部１０ｂの前後長さが後部１０ｃの前後長さより長くなっているが、後部１０ｃが前部１０ｂより長くなっていてもよいし、前部１０ｂと後部１０ｃとが略同じ前後長さであってもよい。いずれにしても、後部１０ｃが前部１０ｂに対して後傾するには、後部１０ｃは中間金具９の後ろに位置しておらねばならない。
【００３７】
図５から理解できるように、ヒンジ部１０ａは、断続して左右方向に直線状に延びるスリット３６の群を有しており、複数本のスリット３６が断続して一列に延びたスリット群を複数列形成することで、多数の平板ブリッジ部３７を形成すると共に、幾つかのスリット３６の箇所にはこれを跨ぐ立体的ブリッジ部３８を形成しており、これらブリッジ部３７，３８によってヒンジ部１０ａが構成されている。
【００３８】
図５に示すように、座４の前部１０ｂには、縦横に延びる多数のリブ３９が形成されている。そして、座４の前部１０ｂの下面に、中間金具９の左右側部とベース３のサイドフランジ３ｂとを抱持する蟻溝部４０が一体に形成されている。蟻溝部４０は、下方と後方とに開口している。
【００３９】
中間金具９はベース３に上から重なっており、その後部に左右一対の下向き片９ａを設けて、この下向き片９ａにスライドピン２５を挿通している。例えば図９に示すように、ベース３のサイドフランジ３ｂには樹脂製のスライド補助体４１を前後ずれ不能に装着して、スライド補助体４１を、正面視内向き開口Ｕ型のスライダ４２で抱持している。スライダ４２は、中間金具９の側部に形成した切欠き４３にずれ不能に嵌まっている。従って、スライダ４２は中間金具９と一緒に前後動する。なお、蟻溝部４０の内面にはグリスを塗布している。
【００４０】
例えば図４に示すように、中間金具９には、その中心線に沿って窓穴９ｂが上下に開口しており、角穴９ｂの後端縁に下向きのばね支持片４４を設け、このばね支持片４４とベース３の前板との間に、前後のばね受け４５を介してコイルばね２７が介在している。ばね受け４５は、ばね受け片４４とベース３の前板とにずれ不能に嵌まっている。
【００４１】
図９（Ａ）に示すように、ベース３の内部のうち左側には、既述のロッキング制御レバー１３（例えば図５参照）の回動操作に連動して起伏回動するロック体４６が配置されており、ロック体４６でスライドピン２５の動きを規制することにより、背もたれ５は、フルストロークで後傾動自在なフリー状態になったり、全く後傾動しないロック状態になったり、傾動ストロークが制限されたりというように制御される。
【００４２】
座４を構成する後部１０ｃの下面には、既述した左右横長の補強板３４が重ね配置されている。座４の後部１０ｃには、補強板３４の左右両側部を下方から抱持する前後一対ずつの支持片４７を設けており、補強板３４は、支持片４７で構成された蟻溝に後ろから差し込まれている。また、補強板３４は、後端に位置したジョイント３７によって前進位置が規制されている。補強板３４の左右両端部には、バーリング加工してからタップを立てることで３つずつの雌ねじ穴４８が形成されており、前後の支持片４７には、両端の２つの雌ねじ穴４８に対応したビス穴４９が開いている。
【００４３】
バックフレーム１７の肘用凹所３３の箇所から挿通した３本のビス（図示せず）を、補強板３４の雌ねじ穴４８にねじ込むことにより、バックフレーム１７と座４の後部１０ｃとを一体に締結することが可能である。肘掛け６を取り付ける場合は、図７に示すように、肘掛け６の基端部に下方から挿通したビスを、補強板３４の雌ねじ穴４８にねじ込んだらよい。
【００４４】
例えば図７に示すように、座板１０の後部１０ｃのうち補強板３４の左右外側の部位には、正面視で内向き鉤型のリア係合爪５０と、その左右外側に位置したリアストッパー５１とを下向きに突設している。
【００４５】
他方、バックフレーム１７の前向き突出部２４のうち肘用凹所３３の左右外側の部位には、リア係合爪５０とリアストッパー５１とが左右ずれ不能に嵌まる前後長手の第１規制リブ５２及び第２規制リブ５３を形成している。更に、内側に位置した第１規制リブ５２に、リア係合爪５０が引っ掛かり係合するリア係合穴５４を形成し、また、両規制リブ５２，５３の間の部位に、リアストッパー５１を後ろ向き移動不能に保持するストッパーリブ５５が形成されている。また、図５や図８に示すように、座板１０における前部１０ｂの前寄り部位の下面に、中間金具９の角穴９ｂの前縁に当接するフロント係合爪５６を設けている。
【００４６】
従って、座板１０は、フロント係合爪５６とリアストッパー５１とによって、中間金具９及びバックフレーム１７に対して前後動不能に保持されていると共に、座板１０の前部１０ｂは、その蟻溝４０によってベース３に対して上向き離反不能に保持されており、座板１０の後部１０ｃは、リア係合爪５０によって、バックフレーム１７に対して上向き離反不能に保持されている。
【００４７】
図８から明瞭に理解できるように、座板１０における後部１０ｃの後端縁は、剛性が高い壁部５８になっている。また、図５に示すように、座４の下面の周縁部には、表皮材の周縁に取り付けた紐を引っ掛けるための係止爪５９を飛び飛びで多数形成されている。
【００４８】
ベース３の後部は、側面視で後ろに行くに従って高くなるように緩く傾斜した後ろ向きアーム部３ｃになっている。但し、後ろ向きアーム部３ｃの傾斜形状は、側板３ａをカットしたことに起因しており、後ろ向きアーム部３ｃの後端の高さは、ベース３の前半部の上面の高さよりは低くなっている。当然ながら、後ろ向きアーム部３ｃは座板１０の下面より低い高さになっている。
【００４９】
そして、ベース３における後ろ向きアーム部３ｃの後端に左右横長の軸６０を固定し、軸６０の左右両端を後ろ向きアーム部３ｃの左右外側に突出させて、この突出した端部を既述のガイド突起３１と成している。
【００５０】
バックフレーム１７に設けた後部ガイド溝３０の前端３０ａは、下方に開放されている。このため、バックフレーム１７の後部ガイド溝３０を、ガイド突起３１に簡単に嵌め込むことができる。図８に明示するように、後部ガイド溝３０の後ろには、ロアメンバー２３の下半部を構成するカバー部６１が形成されている。カバー部６１の前端とベース３の後端との間の隙間６２の間隔は、人の指が差し込みできない寸法に設定されており、このため、バックフレーム１７の後傾動を許容しつつ、安全性を確保できる。
【００５１】
図４や図６に示すように、バックフレーム１７のロアメンバー２３及び前向き突出部２４の上面には、前後方向に長い補強リブ６３を設けている。また、前向き突出部２４の前端は、スライドピン２５が嵌まる軸受け部６４になっている。
【００５２】
(3).動きの説明・実施形態の利点
ロッキング時の背もたれ５と座４の動きを、図１０で模式的に示している。この図から容易に理解できるように、着座した人が背もたれ５にもたれ掛かると、背もたれ５はスライドピン２５を中心に後傾するが、スライドピン２５が前進するため、背もたれ５は、後部ガイド溝３０がガイド突起３１でガイドされることで、回動支点を変化（前進）させながら後傾する。このため、背もたれ５の上端を後ろに大きく移動させなくても、大きなロッキング角度を得ることができる。
【００５３】
図８に示すように、実施形態では、バックフレーム１７におけるロアメンバー２３のうちその上半部は概ね座板１０と同じ高さになっており、上半部の後面６５は、側面視で鉛直線に対してやや前傾した姿勢になっており、下半部を構成するカバー部６１は、手前に行くに従って低くなるように傾斜している。従って、ロアメンバー２３の後面は側面視で後ろ向きに凸に屈曲した形状になっている。このため、ロアメンバー２３が後ろに大きく出っ張ることはなくて、スッキリとした外観を呈している。
【００５４】
そして、ロッキングに際しては、カバー部６１がベース３のアーム部３ｃの下方に移動する。すなわち、カバー部６１がアーム部３ｃの下方において前進することにより、ロッキングが許容されている。従って、ロッキング機能を損なったりロアメンバー２３を大型化したりすることなく、カバー部６１で軸６０を覆って安全性を確保している。この点、本実施形態の利点である。
【００５５】
更に述べると、特許文献３では、バックフレームにおける前後（或いは上下）に開口した切り開き溝の内側面に長溝（第１カムトラック）を形成しているため、ロッキングに際して切り開き溝の上下間隔が狭くなり、すると、人が切り開き溝に指を差し込んだ状態でロッキングすると、指を挟んでしまう危険があるが、本実施形態では、ロッキング前の状態でもロッキング状態でも、ベース３の後端（アーム部の後端）はロアメンバー２３のカバー部６１で覆われているため、指詰めの問題は発生せずに安全性が高いのである。
【００５６】
また、ベース３と中間金具９とスライド補助体４１との関係に関しては、特許文献１のように、中間金具９の左右両側部にスライド補助体４１（或いはベース３のサイドフランジ３ａ）を抱持する抱持部を形成して、抱持部でスライド補助体４１を抱持することも可能であるが、この場合は、中間金具９は手前から又は後ろからのスライドでベース３に装着することになり、すると、ばね支持片４４を中間金具９に曲げ形成しておくことができないため、ばね支持片４４は別部材として、中間金具９をベース３に装着してから溶接するなどせねばならず、すると組み立て工程が厄介になる可能性がある。
【００５７】
これに対して本実施形態のように、スライド補助体４１を中間金具９とは別部材のスライダ４２で抱持し、スライダ４２を中間金具９に左右外側から嵌め込む構成を採用すると、中間金具９にはばね支持片４４を曲げ形成した状態のままで、上からベース３に重ね、次いで、スライダ４２を嵌め込み、それから座板１０をベース３に嵌め込み装着することで、スライダ４２が離脱不能に保持される。このため、中間金具９にばね支持片４１を曲げ形成することで構造の簡素化を図りつつ、組み立て工程の手間を軽減することができる。この点も、本実施形態の利点の一つである。
【００５８】
更に、座４に関しては、特許文献１のように座をインナーシェルとこれを下方から支持するアウターシェルとで構成することも可能であり、２パーツにすると、インナーシェルを下向きに撓む状態でアウターシェルに取り付けできるため、クッション性に優れている利点があるが、この場合は２パーツになるためそれだけコストが嵩むことになる。
【００５９】
これに対して、本実施形態のように、単一構造の座板１０をベース３に取り付ける構成を採用すると、部材点数を少なくできるため製造コスト・組み立てコストを抑制できる。従って、価格を重視するユーザーの要望に応えることができる。
【００６０】
そして、本実施形態では、座板１０は単純に単一構造にしているのではなく、幾つかの特徴を有する。例えば、前部１０ｂは上下寸法を厚くすることで必要な強度を確保しているが、この場合、例えば図５に示すように、蟻溝４０の左右外側の部位の外周には壁６６を形成しており、この壁６６の箇所に、表皮材を保持するための係止爪５９が設けられている。これにより、座板１０に高い強度を保持させつつ、表皮材取り付け用紐を正確に位置決めすることができる。
【００６１】
また、前部１０ｂの厚さは前後方向に向かっておおよそ同じ厚さになっているが、図５に示すように、蟻溝４０の下側の受け部４０ａの厚さを手前に行くに従って薄くなる形態と成すと共に、図８に示すように、蟻溝４０の上側の部位は上下厚さが後ろに行くに従って薄くなるように形成することにより、前部１０ｂの上面を後ろに行くに従って緩く後傾させており、これにより、座板１０をバランスのよい構造としつつ、着座者の身体へのフィット性を高めている。
【００６２】
第２可動ガイド部として後部ガイド溝３０を採用した場合、後部ガイド溝３０は前端（下端）が閉じた形態と成すことも可能であるが、この場合は、椅子の組み立てに際しては、正面視でバックフレーム１７を傾けた姿勢にして後部ガイド溝３０とガイド突起３１との嵌め合わせを行わねばならず、組み立て作業のスムース性に欠けるおそれがある。
【００６３】
これに対して、本実施形態のように、後部ガイド溝３０の前端を下向きに開放すると、バックフレーム１７は正面視で傾けることなくセットできるため、作業者が馴れてなくても簡単に組み立てることができる利点がある。なお、後部ガイド溝３０にブッシュを装着したり、ガイド突起３１をローラに構成したりすることも可能である。
【００６４】
なお、椅子の組み立ては、まず、中間金具９をベース３にセットしてから、バックフレーム１７をベース３のアーム部３ｃに嵌め込み、次いで、スライドピン２５で中間金具９とベース３とバックフレーム１７と連結し、次いで、座板１０を手前からの押し込みでベース３に取り付ける、という手順で行われる。
【００６５】
(3).バックシートの取り付け構造
次に、図４〜６や図１１〜図１３を参照して、バックシート１８，１９の取り付け構造を説明する。フロントバックシート１８及びリアバックシート１９はメッシュ状の外観を呈しており、通気性と若干の透光性とを有している。これらバックシート１８，１９は、図１２，１３に示すように、その外周縁に固定したテープ片６８，６９を、バックフレーム１７に設けた第１及び第２の溝穴７１，７２に嵌め込むことで、張った状態に保持されている。
【００６６】
図５〜７に示すように、フロントバックシート１８のテープ片６８が嵌まる第１長溝７０は、サイドメンバー２１及びアッパメンバー２２の外周面と、ロアメンバー２３の前面とに形成されている。すなわち、第１長溝７０は、サイドメンバー２１の外周面（左右外向き面）に形成した第１サイド長溝７０ａと、ロアメンバー２３の外周面（上面）に形成した第１アッパ長溝７０ｂと、ロアメンバー２３の前面に形成した第１ロア長溝７０ｃとで構成されている。
【００６７】
第１サイド長溝７０ａと第１アッパ長溝７０ｂとは互いに連続しており、第１サイド長溝７０ａと第１ロア長溝７０ｃとは連続していない。図１１に明示するように、第１サイド長溝７０ａの下端は、第１ロア長溝７０ｃの左右端部よりや下に位置している。第１ロア長溝７０ｃは１本の構成であり、ロアメンバー２３の左右両端近くまで延びている。
【００６８】
図１３（Ａ）（Ｂ）に示すように、サイドメンバー２１の前面は、左右内側に行くに従って後ろにずれるように傾斜しており、第１サイド長溝７０ａは、平断面視で概ねサイドメンバー２１の前面と平行な姿勢になっている。他方、アッパメンバー２２の前面は概ね鉛直姿勢になっており、第１アッパ長溝７０ｂは、縦断側面で、鉛直線に対してやや前傾した姿勢になっている（鉛直姿勢にしたり後傾させたりしてしもよい。）。ロアメンバー２３の前面は鉛直線に対してやや前傾した姿勢になっている。第１長溝７０ｃは、縦断側面視で水平に対してやや後傾した姿勢になっているが、水平姿勢や前傾姿勢にすることも可能である。
【００６９】
リアバックシート１９のテープ片６９が嵌まる第２長溝７１は、各メンバー２１，２２，２３の前面と各コーナー部とに形成されている。すなわち、第２長溝７１は、サイドメンバー２１の前面に形成した第２サイド長溝７１ｂと、アッパメンバー２２の前面に形成した第２アッパ長溝７１ｂと、ロアメンバー２３の前面に形成した第２ロア長溝７１ｃと、４つのコーナー部に形成した第２コーナー長溝７１ｄとで構成されており、各第２長溝７１ａ〜７１ｄは互いに分断されている。また、第２サイド長溝７１ａと第２アッパ長溝７１ｂと第２ロア長溝７１ｃとは、それぞれ複数本に分断されている。
【００７０】
図１３に示すように、各第２サイド長溝７１ａは平断面視でほぼ前後方向に向いた姿勢になっており、従って、第２アッパ長溝７１ｂと第２ロア長溝７１ｃとは、縦断側面視でほぼ前後に向いた姿勢（略水平姿勢）になっている。図示していないが、第２コーナー長溝７１ｄも、バックフレーム１７の対角線を含む切断面で見ると、前後方向に向いた姿勢になっている。敢えて述べるまでもないが、第２長溝７１ａ〜７１ｄは、第１長溝７０ａ〜７０ｃよりも内側（バックフレーム１７の中央部寄り）に位置している。
【００７１】
既述のように、フロントバックシート１８とリアバックシート１９との間にはクッション板２０が配置されているが、図１３（Ｂ）（Ｃ）（Ｄ）に示すように、クッション板２０を配置せずにフロントバックシート１８のみを使用することも可能である。クッション板２０を配置する場合は、クッション板２０の周縁部をバックフレーム１７に重ねている。
【００７２】
第２長溝７１ａ〜７１ｄはバックフレーム１７の前面に形成されているため、クッション板２０を使用せずにバックフレーム１７にフロントバックシート１８のみを張った場合でも、第２長溝７１ａ〜７１ｄは人が前から見ても殆ど視認されることはない。また、後ろから見た場合は、第２長溝７１ａ〜７１ｄは全く見えない。このように、リアバックシート１９及びクッション板２０を使用しない場合でも、美感が悪化することはない。なお、フロントバックシート１８とリアバックシート１９とを使用して、クッション板２０は使用しない態様も採用可能である。
【００７３】
実施形態では、第１ロア長溝７０ｃ及び第２ロア長溝７１ｃとを両方も前向きに開口させているが、それぞれ下向きに開口させたり、第１ロア長溝７０ｃは下向きに開口させて、第２ロア長溝７１ｃは前向きに開口させるといったことも可能である。
【００７４】
また、図１３（Ｄ）に一点鎖線で示すように、バックフレーム１７におけるロアメンバー２３の前面に、左右横長の補助フレーム材２３′をねじ止め等の手段で固定し、この補助フレーム材２３′に、少なくとも第１ロア長溝７０ｃを形成することも可能である。図では、補助フレーム材２３′には第１ロア長溝７０ｃを形成した状態しか表示していないが、補助フレーム材２３′を設ける場合は、第１ロア長溝７０ｃと第２ロア長溝７１ｃとの両方を補助フレーム材２３′に形成してもよい。
【００７５】
このように補助フレーム材２３′を使用することにより、ロアメンバー２３に前向き突出部２４を設けつつ、少なくとも第１ロア長溝７０ｃを下向き開口した形態として、フロントバックシート１８の抜け防止機能を向上できる。第２ロア長溝７１ｃも下向きに開口させると、リアバックシート１９の取り付け強度をより向上できる。また、第２ロア長溝７１ｃは、前向きに開口させつつ、手前に行くに従って下がるように傾斜させることも可能であり、この場合も、リアバックシート１９の抜け防止機能が格段に向上する。
【００７６】
(4).バックシートの取り付け構造の意義
さて、椅子において背もたれとして、本実施形態のように、前後に大きく開口したバックフレームにメッシュ材を取り付けて、着座者の体圧をメッシュ材で指示する構造のものがある。そして、このタイプの背もたれにおいて、メッシュ材の取り付け構造として、バックフレームに長溝を形成して、メッシュ材に外周に取り付けたテープ状等の縁部材を長溝に差し込むことが行われている。
【００７７】
その一例として特開２００９−２２４９８号公報には、前後のバックフレームの外周と内周とに蟻溝を形成して、内外の蟻溝を利用してメッシュ材を取り付けることが開示されている。この特開２００９−２２４９８号公報では、ａ）バックフレームの外周に形成した蟻溝には、バックフレームの前面に重なった装飾地を取り付ける一方、バックフレームの内周に形成した蟻溝には、装飾地の後ろに位置したバックアップ地を取り付け、装飾地とバックアップ地との間に詰物を介在させた態様、ｂ）バックフレームの外周に形成した蟻溝に装飾地を取り付けただけの態様、ｃ）バックフレームの内周に形成した蟻溝に装飾地を取り付けただけの態様、の３つの態様を選択して採用できる。
【００７８】
特開２００９−２２４９８号公報のようにメッシュ材を二重構造にすると、詰物を設けることで身体の当たりの柔らかさを向上させたり、透光性を遮断したりできる等の利点がある。しかし、特開２００９−２２４９８号公報は、後ろ側に位置したバックアップ地が、バックフレームの内周面に形成した蟻溝に取り付けられているため、バックアップ地を使用せずに装飾地のみを使用して、この装飾地を外周の蟻溝に取り付けた場合、内周の蟻溝が後ろから見えて美感が良くないおそれがある。
【００７９】
また、特開２００９−２２４９８号公報では、座者が背もたれに凭れるとバックアップ地又は装飾地にテンションが掛かるが、バックフレームの内周に開口した蟻溝にバックアップ地又は装飾地を取り付けた場合、テンションの作用方向と蟻溝の開口方向とが同じであるため、内周の蟻溝のくびれの度合いが小さいと、内周の蟻溝に嵌まっている部材（係止稈）が抜けやすくなるという問題があり、これを回避するには、蟻溝のくびれの度合いを大きくせねばならないが、例えばバックフレームを射出成形やダイキャストで製造する場合、蟻溝の加工は非常に厄介であるという問題がある。
【００８０】
本実施形態におけるバックシートの取り付け構造は、このような従来技術を改善することを目的にしたものである。
【００８１】
そして、本実施形態は、前後に開口したバックフレームに、その開口部を覆うように前後複数枚のメッシュ状又はその他の可撓性バックシートを取り付け可能であり、前記バックフレームは、上下長手の左右サイドメンバーと、前記左右サイドメンバーの上端に繋がった左右横長のアッパメンバーと、前記左右サイドメンバーの下端に繋がった左右横長のロアメンバーとを有している、という基本構成において、少なくとも前記サイドメンバーとアッパメンバーとの外周面に、前記複数枚のバックシートのうち最も手前に位置した第１バックシート（フロントバックシート）を取り付けるための第１長溝がそれらサイドメンバー及びアッパメンバーの長手方向に延びるように形成されており、かつ、少なくとも前記サイドメンバーとアッパメンバーとの前面に、前記複数枚のバックシートのうち前記第１バックシートの後ろに位置したバックシート（リアバックシート）を取り付けるための第２長溝が、それらサイドメンバー及びアッパメンバーの長手方向に延びるように形成されている。
【００８２】
本実施形態によると、第１バックシートの後ろに位置した第２バックシートを取り付けるための第２長溝はバックフレームの前面に形成されているため、第２長溝を使用していない状態であっても、前からは第１バックシートに隠れて殆ど見えず、後ろからは全く見えない。このため、第２長溝を使用しないときに美感が悪化する問題を無くすことができる。
【００８３】
また、着座した人の体圧で第２バックシートにテンションが掛かった場合、第２バックシートは、椅子の正面視で背もたれの中心に引かれるような作用を受けるが、第２長溝は手前に向いて開口しているため、第２長溝が抜き勾配を有する略等しい溝巾であっても、縁部材の抜けを的確に防止できる。このため、バックフレームを射出成形やダイキャストでも容易に製造することができて、一般性・汎用性に優れている。
【００８４】
第１長溝は外側に開口しており、第１バックシート（フロントバックシート）のうちサイドメンバーとアッパメンバーとの外周に位置した周縁部は外側から見えるので、本実施形態のように、サイドメンバー２１とアッパメンバー２２との第１長溝７０ａ，７０ｂを連続させると、第１バックシート（フロントバックシート１８）の周縁部を途切れることなくサイドメンバー２１とアッパメンバー２２との長溝７０ａ，７０ｂに押し込み収納できるため、美感に優れている。
【００８５】
他方、第２長溝７１を断続した状態に形成すると、多数の第２長溝（７１ａ〜７０ｃ）に縁部材５９を嵌め込むことで、第２バックシート（リアバックシート１９）の位置決めをしっかりと行うことができる。このため、使用しているうちに第２バックシートがずれるようなことはない。実施形態のようにコーナー部にも第２長溝７１ｄを形成しておくと、第２バックシートを背もたれの対角方向に張った状態に保持できるため、特に好適である。なお、バックシートを前後に３枚以上配置することも可能である。
【００８６】
(5).その他
本願発明は、上記の実施形態の他にも様々に具体化できる。例えば、脚はベースを支持するものを広く含んでおり、従って、例えば、劇場用椅子のような固定式の椅子にも適用できる。脚とベースとが一体化していてもよい。また、脚はパイプ製であってもよい。座は、特許文献１のように、アウターシェルとインナーシェルとを有する形態であってもよい。実施形態のベースは全体を一体品としているが、例えば、箱状の本体部に別部材の後ろ向きアーム部が溶接された構造を採用することも可能である。第１及び第２の固定ガイド部、可動ガイド部も、様々に具体化できる。
【００８７】
例えば、第２固定ガイド部を長穴として、第２可動ガイド部をピンとすることも可能である。同様に、第１固定ガイド部をピンとして、第１可動ガイド部を長穴とすることも可能である。実施形態では前部ガイド溝が水平姿勢になっているが、前部ガイド溝を、水平に対して前傾させたり後傾させたりすることも可能である。
【００８８】
実施形態のバックフレームは単一構造品になっているが、例えば、左右サイドメンバーとアッパメンバーとを一体品として、これをロアメンバーに連結するというように、複数の部材で構成することも可能である。背もたれは、バックフレームに１枚のバックシートのみが張られた構造を採用することも可能である。
【産業上の利用可能性】
【００８９】
本願発明は、椅子に実際に具体化できる。従って、産業上利用できる。
【符号の説明】
【００９０】
１  脚
２  脚支柱
３  ベース
４  座
５  背もたれ
１０  座板
１０ａ  ヒンジ部
１６  開口部
１７  バックフレーム
１８  フロントバックシート
１９  リアバックシート
２０  クッション板
２１  サイドメンバー
２２  アッパメンバー
２３  ロアメンバー
２４  前向き突出部
２５  第１可動ガイド部の一例としてスライドピン
２６  第１固定ガイド部の一例としての前部ガイド穴
２７  ばね手段の一例としてのコイルばね
２８  溝空間
３０  第２可動ガイド部の一例としての後部ガイド溝
３１  第１固定ガイド部の一例としてのガイド突起
３４  補強板
６８，６９  テープ
７０  フロントバックシートを取り付けるための第１長溝
７１  リアバックシートを取り付けるための第２長溝
【図１】
0005977053.tif 000002
【図２】
0005977053.tif 000003
【図３】
0005977053.tif 000004
【図４】
0005977053.tif 000005
【図５】
0005977053.tif 000006
【図６】
0005977053.tif 000007
【図７】
0005977053.tif 000008
【図８】
0005977053.tif 000009
【図９】
0005977053.tif 000010
【図１０】
0005977053.tif 000011
【図１１】
0005977053.tif 000012
【図１２】
0005977053.tif 000013
【図１３】
0005977053.tif 000014